(57)【要約】【課題】水槽排水を微生物的に浄化処理する装置において、給水ポンプ等の防音対策を施すとともに、ケース内部の水槽排水の保温対策を施す。【解決手段】水槽排水を微生物的に浄化処理する装置を収容するケース体３０と、ケース体３０の開口部を覆う蓋体３６を有している。蓋体３０には、該蓋体の裏面部に付着した水分をケース体３０の内部方向に滴下させる水滴誘導片３６ｅが設けられている．蓋体３０は、ケース体３０に枢支されたバックル５３が蓋体の係止部に係入し、ケース体３０と着脱可能となっている。ケース体３０には微好気処理槽３１及び好気処理槽３２、これら処理槽の上部に配置された菌床収容容器３３及びｐＨ調整材収容容器３４、これら収容容器の上部に配置される物理濾過材収容容器３５が収容されている。【選択図】図４
2008005764.tif 000002
【特許請求の範囲】
【請求項１】
水槽貯留水を浄化処理する装置であって、
水槽排水を微生物的に浄化処理する装置を収容するケース体と、
前記ケース体の開口部を覆う蓋体と、を備えたことを特徴とする水槽浄化装置。
【請求項２】
前記蓋体には、該蓋体の裏面部に付着した水分を前記ケース体の内部方向に滴下させる水滴誘導手段が設けられていることを特徴とする前記請求項１に記載の水槽浄化装置。
【請求項３】
前記水滴誘導手段は、前記蓋体裏面部の端縁部に設けられた水滴誘導片であることを特徴とする請求項２に記載の水槽浄化装置。
【請求項４】
前記蓋体は、係止手段により前記ケース体と着脱可能に設けられることを特徴とする請求項１〜３のいずれかに記載の水槽浄化装置。
【請求項５】
前記係止手段は、前記蓋体を前記ケース体の上端部に押圧するとともに、ケース体の内部に収容された前記微生物的浄化処理装置の構成部材をケース体に押さえ付けて固定化するものであることを特徴とする請求項４に記載の水槽浄化装置。
【請求項６】
前記係止手段は、前記ケース本体に枢支されたバックルと、前記蓋体に形成された前記バックル先端部の係止部から構成されていることを特徴とする請求項３〜５のいずれかに記載の水槽浄化装置。
【請求項７】
前記蓋体は、水槽排水を導入する接続管の挿入口と、浄化処理を終えた処理水を導出する接続管の挿入口を有していることを特徴とする請求項１〜６のいずれかに記載の水槽浄化装置。
【請求項８】
前記微生物的処理装置は、主として脱窒処理するための微好気処理槽と、主として硝化処理するための好気処理槽を有していることを特徴とする請求項１〜７のいずれかに記載の水槽浄化装置。
【請求項９】
前記ケース体の中に、主として脱窒処理するための微好気処理槽及び主として硝化処理するための好気処理槽と、前記微好気処理槽の上部に配置される菌床収容容器と、前記好気処理槽の上部に配置されるｐＨ調整材収容容器と、前記菌床収容容器及びｐＨ調整材収容容器の上部に配置される物理濾過材収容容器、とを収容することを特徴とする請求項１〜７のいずれかに記載の水槽浄化装置。
【請求項１０】
前記ケース体の内部に、水槽排水を前記微好気処理槽の下方に導入するための流路が形成されていることを特徴とする請求項９に記載の水槽浄化装置。
【請求項１１】
前記ケース体の内部に、給水手段を配置したことを特徴とする請求項１〜１０のいずれかに記載の水槽浄化装置。
【請求項１２】
水槽と、前記水槽の貯留水を浄化処理する水槽浄化装置と、水槽貯留水を前記水槽と前記水槽浄化装置の間で循環させる送水手段を備えており、
前記水槽浄化装置は、前記請求項１〜１１のいずれかに記載の水槽浄化装置であることを特徴とする水槽浄化処理システム。
【発明の詳細な説明】
【技術分野】
【０００１】
本発明は、観賞魚や食用魚、貝類等を飼育する水槽の貯留水を循環させて浄化するための水槽浄化装置及び水槽浄化処理システムに関するものである。
【背景技術】
【０００２】
水槽に魚類や貝類等を入れて飼育、鑑賞する場合、水質管理のための水替えが重要となる。水槽の貯留水には、魚類の排泄物等から生成されるアンモニア成分、残餌、ゴミ等が混じっており、これらが水質悪化の原因となっている。とくにアンモニア成分や、アンモニア成分が、貯留水に自然に含まれる好気性菌により硝酸塩まで分解される過程で生成される亜硝酸塩は、飼育魚にとってきわめて有害であり、また硝酸塩の増加は藻の発生や、ｐＨバランスを崩す原因にもなっている。
【０００３】
このため、水槽貯留水を循環させて化学的、物理的又は微生物的に浄化する装置が従来から多種提案されている。微生物的な浄化装置として、例えば特許文献１には、水槽の貯留水を嫌気性の第１濾過容器で脱窒処理を行い、その後、好気性の第２濾過容器で硝化処理することにより、アンモニアの酸化分解処理をする装置が開示されている。また特許文献２には、嫌気性であるウエット濾過槽と、好気性であるドライ濾過槽を設け、両槽に水槽貯留水を上方からシャワーパイプにより給水するようにした装置が開示されている。
【０００４】
【特許文献１】特許第２７８９２９６号公報
【特許文献２】特開平１０−２４４２９０号公報
【発明の開示】
【発明が解決しようとする課題】
【０００５】
しかしながら、上記特許文献１で提案された浄化装置は、各濾過容器をモジュール化し、配管で接続しているが、給水ポンプ（給水手段）に対する防音対策がなされていないため、深夜など、給水ポンプの発生音が気になる等の問題がある。
【０００６】
また、特許文献２で提案された浄化装置は、ケース内を区画して各処理室を形成しているが、通常はメンテナンス等の都合で上部を開放しているため、前述のように給水ポンプ等の騒音問題があり、また水温が外気温度に影響されやすくなるため、微生物の働きが安定しないという問題もある。さらにボックス内の水槽排水が蒸発して周囲に拡散し、近くの機器類、家具類等に水滴が付着するという問題や、周囲に浮遊する微生物が処理室の内部に混入し、微生物の生態系バランスを崩す等の問題がある。
【０００７】
本発明は、上記問題を解決するために提案されたものであり、その解決課題は、水槽排水を微生物的に浄化処理する装置において、給水ポンプ等の防音対策を施すとともに、ケース内部の水槽排水の保温対策を施した水槽浄化装置及び水槽浄化処理システムを提供することである。
また本発明は、ケース体内部の水槽排水の蒸発を防止するとともに、周囲の微生物、ゴミ等がケース体内部に入り込むのを防止し、安定した微生物的浄化処理を行えるようにした水槽浄化装置及び水槽浄化処理システムを提供することである。
また本発明は、ケース体に蓋体を設けた場合に、蓋体裏面部に付着する水滴等をケース体の外部に漏出しないようにした水槽浄化処理装置及び水槽浄化処理システムを提供することである。
また本発明は、微生物的浄化処理装置をケース体内部に安定して収容できるようにした水槽浄化処理装置及び水槽浄化処理システムを提供することである。
その他、本発明は以下の課題解決手段及び最良実施形態に記述され、または記述から予測できる作用効果を有する水槽浄化装置及び水槽浄化処理システムを提供することである。
【課題を解決するための手段】
【０００８】
上記課題を解決するため、本発明の水槽浄化装置の請求項１の発明にあっては、
水槽貯留水を浄化処理する装置であって、
水槽排水を微生物的に浄化処理する装置を収容するケース体と、
前記ケース体の開口部を覆う蓋体と、を備えたことを特徴とする。
【０００９】
水槽の貯留水は淡水、塩水、汽水のいずれでもよく、また水槽は家庭用、業務用を問わない。微生物的に浄化処理する装置とは、微生物の働きにより、水槽排水に含まれる有害成分を無害成分まで分解処理する機能を備えた装置である。ケース体と蓋体の構成は、ここでは任意である。ケース体の上面部に開口部を有しているものに限らず、側面部に部材交換用取り出し口等の開口部を有するケース体も含まれる。
【００１０】
また請求項２の発明によれば、前記請求項１の発明において、前記蓋体には、該蓋体の裏面部に付着した水分を前記ケース体の内部方向に滴下させる水滴誘導手段が設けられていることを特徴とする。
【００１１】
ここでの水滴誘導手段は、特に限定されるものではなく、水分が伝わって下方に落下する構成であればよい。これにより、パッキン等を使用せずに、蓋体の裏面部に付着した水分が蓋体とケース体の隙間から漏出するのを防止することができる。
【００１２】
また請求項３の発明によれば、前記請求項２の発明において、前記水滴誘導手段は、前記蓋体裏面部の端縁部に設けられた水滴誘導片であることを特徴とする。このようにすると、水滴誘導手段を簡単な構成で実現することもでき、蓋体とケース体が接触する部分の手前で確実に水滴を落下させることができる。
【００１３】
また請求項４の発明によれば、前記請求項１〜３のいずれかの発明において、前記蓋体は、係止手段により前記ケース体と着脱可能に設けられることを特徴とする。ここでの係止手段は、クリップ式、着脱嵌合式等任意である。
【００１４】
また請求項５の発明によれば、前記請求項４の発明において、前記係止手段は、前記蓋体を前記ケース体の上端部に押圧するとともに、ケース体の内部に収容された前記微生物的浄化処理装置の構成部材をケース体に押さえ付けて固定化するものであることを特徴とする。これにより、微生物的浄化処理装置の各構成部材を個々に固定しなくとも、該処理装置をカース体内において安定することができる。
【００１５】
また請求項６の発明によれば、前記係止手段は、前記ケース体に枢支されたバックルと、前記蓋体に形成された前記バックル先端部の係止部から構成されていることを特徴とする。このようにすれば、蓋体をケース体に強固に止着することができ、係脱操作も簡単である。
【００１６】
また請求項７の発明によれば、前記請求項１〜６のいずれかの発明において、前記蓋体は、水槽排水を導入する接続管の挿入口と、浄化処理を終えた処理水を導出する接続管の挿入口を有していることを特徴とする。このようにすれば、蓋体を取り外すことなく、各接続管を他の接続口に接続することができる。
【００１７】
また請求項８の発明によれば、請求項１〜７のいずれかの発明において、前記微生物的処理装置は、主として脱窒処理するための微好気処理槽と、主として硝化処理するための好気処理槽を有していることを特徴とする。これにより、水槽排水に含まれるアンモニア成分、硝酸塩、亜硝酸塩等が、各処理槽に生存する微生物の働きにより、効率よく、安定して分解除去される。
【００１８】
また請求項９の発明によれば、請求項１〜７のいずれかの発明において、前記ケース体の中に、主として脱窒処理するための微好気処理槽及び主として硝化処理するための好気処理槽と、前記微好気処理槽の上部に配置される菌床収容容器と、前記好気処理槽の上部に配置されるｐＨ調整材収容容器と、前記菌床収容容器及びｐＨ調整材収容容器の上部に配置される物理濾材収容容器、とを収容することを特徴とする。
【００１９】
このようにすれば、ケース体の内部に、微好気処理及び好気処理を行うに必要な構成部材をコンパクトに格納することができ、前記蓋体でこれら構成部材の上下方向の動きを規制することができる。
【００２０】
また請求項１０の発明によれば、前記請求項９の発明において、前記ケース体の内部に、水槽排水を前記微好気処理槽の下方に導入するための流路が形成されていることを特徴とする。このようにすれば、ケース体内部での複雑な配管が不要となり、前記蓋体を被せたときの収まりが良くなる。
【００２１】
また請求項１１の発明によれば、前記請求項１〜１０の発明において、前記ケース体の内部に、給水手段を配置したことを特徴とする。給水手段は、例えば回転式、圧搾式等の給水ポンプであり、この給水手段をケース体内部に配置し、前記蓋体で開口部を覆うことによって、給水手段の騒音防止となる。
【００２２】
また請求項１２の発明の水槽浄化処理システムによれば、水槽と、前記水槽の貯留水を浄化処理する水槽浄化装置と、水槽貯留水を前記水槽と前記水槽浄化装置の間で循環させる送水手段を備えており、
前記水槽浄化装置は、前記請求項１〜１１のいずれかに記載の水槽浄化装置であることを特徴とする。
【００２３】
前記送水手段は、水槽と水槽浄化装置を接続する水流管と、送水（給水）ポンプを含んでおり、水槽排水を水流管を介して水槽浄化装置に導入し、浄化処理を終えた処理水を水槽浄化装置から送水ポンプにより水槽に返還するものである。
【発明の効果】
【００２４】
上述した本発明の水槽浄化装置によれば、前記ケース体の開口部を蓋体で覆うことにより、給水手段の発生音の防音効果が得られるとともに、ケース内部を保温し、微生物の働きに適した温度環境にすることができる。
また本発明の水槽浄化装置によれば、ケース体内部の水槽排水の蒸発を防止するとともに、周囲の微生物、ゴミ等がケース体内部に入り込むのを防止し、安定した微生物的浄化処理を行なうことができる。
また本発明は、ケース体に蓋体を設けた場合に、蓋体裏面部に付着する水滴等がケース体の外部に漏出するのを防止することができる。
また本発明の水槽浄化処理によれば、微生物的浄化処理装置をケース体内部に安定して収容できる、等の効果が得られる。
【発明を実施するための最良の形態】
【００２５】
以下本発明の実施形態を添付図面に従って説明する。図１は、本発明の水槽浄化処理システムの全体概略図であり、透明又は半透明のプラスチック材、ガラス材等で造られた水槽１と、この水槽１を支持する架台２と、この架台２の内部に配置される水槽浄化装置３とで構成されている。水槽１と水槽浄化装置３とは水流管４で連通され、水槽１内の貯留水を水槽浄化装置３に導入し、同浄化装置３で浄化処理された処理水を水槽１に返送している。
【００２６】
水流管４は、水槽１側の上部水流管４０と架台２側の下部水流管４１とに分かれており、上部水流管４０は、カバー管４０ａ、排水管４０ｂ及び給水管４０ｃの三重管で構成されている。カバー管４０ａと排水管４０ｂは、水槽１の底部開口部に水密に装着された筒状連結部材４０ｄに装着されている。
【００２７】
カバー管４０ａの上下両端部には図２に示すように多数の小孔又はスリット状の取水口４０ｆ，４０ｇが形成されており、上端部の取水口４０ｆには水面Ｌ近くの水槽貯留水が流入し、水面Ｌを一定に保持している。また下部取水口４０ｇには水槽１の底部近くの貯留水が流入する。
【００２８】
各取水口４０ｆ，４０ｇから流入した貯留水は、カバー管４０ａと排水管４０ｂの間を通って、排水管４０ｂ上端部からその内部にオーバーフローし、排水管４０ｂと給水管４０ｃの間を通り、後述する下部流水管４１から水槽浄化装置３に流入する。なお、給水管４０ｃの上端部には吐出管４０ｅが接続されている。
【００２９】
前記下部水流管４１は、水槽１側の連結部材４０ｄと水密に接続可能な筒状連結部材４１ａを有している。この連結部材４１ａは、水槽浄化装置３に通じる分岐管４１ｂと、後述する給水ポンプ５４に通じる分岐管４１ｃに分岐しており、分岐管４１ｂには水槽浄化装置３との接続管４１ｄが接続され、分岐管４１ｃには給水ポンプとの接続管４１ｅが接続される。
【００３０】
図３は前記水槽浄化装置３の正面断面図、図４は同じく側面断面図であり、また図５は水槽浄化装置３の全体外観斜視図、図６は同じく構成部材の組立斜視図である。
【００３１】
水槽浄化装置３は、全体がボックス形状であり、外ケース３０と、その内部に収納される微好気処理槽３１及び好気処理槽３２と、微好気処理槽３１の上部に配置される菌床収容容器３３と、好気処理槽３２の上部に配置されるｐＨ調整材収容容器３４と、これら収容容器３３，３４の上部に配置される物理濾過材収容容器３５と、外ケース３０の上部を塞ぐ蓋体３６を備えている。
【００３２】
外ケース３０は、図７に示すように全体がボックス状の容器であり、中央部からやや一側方向寄りがケース内部に没入して股割状の隔壁３０ａが形成されている。即ち、図３に示すように、外ケース３０の底面部の一部がケース内部方向に押し込まれ、これにより前記各処理槽３１，３２とほぼ同高の隔壁３０ａが外ケース３０内部の幅方向に形成される。
【００３３】
この隔壁３０ａにより、外ケース３０の内部は、図３に示すように、微好気処理室３０ｂと好気処理室３０ｃとに区画され、後述するように微好気処理槽３１に導入される水槽排水と、好気処理槽３２での処理水が混合しないようになっている。なお、好気処理槽３２と隣接する空間部は，好気処理槽３２を通った処理水の貯留部３０ｋとなり、その貯留部３０ｋには給水ポンプ５４が配置されている。
【００３４】
また、図３に示すように、外ケース３０内部の微好気処理室３０ｂには、仕切板３０ｄが高さ方向に形成され、外ケース３０の一方の側面部との間に、水槽排水の導入路３０ｅが形成されている。この仕切板３０ｄの下端部には、水槽排水の流通口３０ｆが開口されている。
【００３５】
また、図７に示すように、外ケース３０の上端縁部３０ｇの内面側には、物理濾過材収容容器３５の上端縁部を係止する凹部３０ｈが該収容容器３５の配置位置に対応して形成されている。さらに、外ケース３０の幅方向両側面部の上部には、図７に示すような一対の枢軸部３０ｊ，３０ｊが形成されている。
【００３６】
この枢軸部３０ｊ，３０ｊには、図１４に示すような枢軸部材５３ａを介して図４及び図８に示すようなバックル５３が軸着されている。枢軸部材５３ａは、２本の平行な上下軸部５３ｂ，５３ｃが形成されており、下部軸部５３ｃの長さ方向には軸係入溝５３ｄが形成されている。そして、図８に示すように枢軸部材５３ａの上部軸部５３ｂを外ケース枢軸部３０ｊ，３０ｊに係入し、下部軸部５３ｃの軸係入溝５３ｄが、バックル５３の裏面側下端部に設けられた軸部５３ｅ（図８参照）に係入されている。これにより、バックル５３は、枢軸部材５３ａの上下軸部５３ｂ，５３ｃを支点として上下方向に回動するようになっている。
【００３７】
なお、外ケース３０の内部底面には、図３及び図４に示すように、微好気処理槽３１と好気処理槽３２の位置決め突起部３０ｉ，３０ｉが突設されている。
【００３８】
前記外ケース３０は、透明又は半透明のプラスチック材で造られており、隔壁３０ａや仕切板３０ｄも含めて、射出成形により一体成形されている。
【００３９】
前記微好気処理槽３１と好気処理槽３２は、図９に示すように、同形のボックス状の深底容器であり、底面部には図３及び図４に示すように多数の小孔からなる通水口３１ａ，３２ａが開口されている。また各処理槽３１，３２の上端縁部には、図９に示すように、菌床収容容器３３の係止片３１ｂ，３２ｂが突設されている。さらに各処理槽３１，３２の底面部には脚部３１ｃ，３２ｃが突設されている。
【００４０】
このような微好気処理槽３１と好気処理槽３２も、透明又は半透明のプラスチック材で、射出成形により一体成形されている。微好気処理槽３１と好気処理槽３２は同形であるため、１つの金型でよく、製造コストを節約できる。
【００４１】
これら微好気処理槽３１と好気処理槽３２には、多数のクリンカアッシュ３１ｄ，３２ｄが装填される。このクリンカアッシュ３１ｄ，３２ｄは、水槽排水の濾材となるとともに、排水に含まれる主として好気性菌が担持される。また、好気処理槽３２には、市販の硝化菌が混入され、このクリンカアッシュ３２ｄに担持して増殖する。
【００４２】
微好気処理槽３１の上部に載置される前記菌床収容容器３３は、図１０に示すように、全体が浅底トレイ状の容器であり、底部全面に多数の通水口３３ａが開口されている。また、上端縁部３３ｂの一側部には、わずかに下方に傾斜した傾斜面３３ｃが外側に張り出すように形成されている。
【００４３】
また、好気処理槽３２の上部に載置される前記ｐＨ調整材収容容器３４は、図１１に示すように、菌床収容容器３３よりわずかに高さが低い浅底トレイ状の容器であり、底部全面に多数の通水口３４ａが開口されている。
【００４４】
これら菌床収容容器３３とｐＨ調整材収容容器３４も、透明又は半透明のプラスチック材により、射出成形により一体成形されている。
【００４５】
前記菌床収容容器３３には、図３に示すように、硫黄ーカルシウム系基質の菌床５０が収容される。この菌床５０は、炭酸カルシウムと硫黄とを主成分とした微細孔隙を有する粒状物または塊状物であり、微細孔隙に硫黄酸化脱窒菌を担持させるのに有効である。
【００４６】
硫黄酸化脱窒菌は通性嫌気性菌であり、硝酸性窒素（ＮＯ3-）を窒素ガス（Ｎ2）に還元する働きをする。即ち、硫黄酸化脱窒菌は、栄養源となる硫黄を硝酸性窒素の酸素を利用して酸化し、無害な窒素ガスを吐き出す。その際、副生物として硫酸イオン（ＳＯ42-）を排出するが、前記基質に含まれるカルシウム（Ｃａ）と結合して安定的な石膏（ＣａＳＯ4）となる。また炭酸カルシウムが主成分であるため、処理水のｐＨバランスを良好に保つことができる。
【００４７】
前記ｐＨ調整材収容容器３４には、図３に示すように、炭酸カルシウム等のｐＨ調整材５１が収容され、好気処理槽３２に流入する水槽排水及び微好気処理槽３１から流入する処理水のｐＨバランスを調整している。これにより、好気処理槽３２内の好気性菌の活動に最適なｐＨ環境を維持するとともに、水槽１に返還する処理水を、飼育魚等が生存する最適なｐＨ環境に維持している（ｐＨ６〜８）。
【００４８】
前記物理濾過材収容容器３５は、図１２に示すように、全体がボックス状の容器であり、内部底面部には邪魔板３５ａが幅方向に突設され、微好気処理槽連通室３５ｃと好気処理槽連通室３５ｄに区画されている。邪魔板３５ａの長さ方向の中央部からやや一側寄りには低位部３５ｂが形成され、その低位部３５ｂから微好気処理槽連通室３５ｃ側の貯留排水が好気処理槽連通室３５ｄ側に流入するようになっている。なお、邪魔板３５ａは、好気処理槽連通室３５ｄ側に寄って設けられている。
【００４９】
好気処理槽連通室３５ｄの底面部には多数の通水口３５ｅが開口されており、微好気処理槽連通室３５ｃの底面部の側端部には、図３に示すように、流水口３５ｆが開口されている。この流水口３５ｆは、開口面積（口径）を小さくすることにより微好気処理槽連通室３５ｃからの流量を規制し、ゆっくりしたスピードで水槽排水を導入路３０ｅに滴下させている。ここでの流水口３５ｆの口径は直径３ｍｍ〜５ｍｍである。
【００５０】
物理濾過材収容容器３５の上端縁部３５ｇは、図８に詳示するように下向きに屈曲しており、外ケース３０の前記上端凹部３０ｈに係入できるようになっている。また、好気処理槽連通室３５ｄ側の側面上端縁部には緩やかな凹状となった排水流出部３５ｈが形成されている。なお、物理濾過材収容容器３５の内部側面部の適所には、後述する物理濾過材５２を支持する複数の支持リブ３５ｉが形成されている。
【００５１】
物理濾過材収容容器３５の内部には、図３及び図４に示すように、上下２枚の多孔板３５ｊ、３５ｋに挟まれて物理濾過材５２が収容される。物理濾過材５２は、ここでは多数の粒状のイオン交換樹脂を使用しているが、人工又は天然ゼオライト、活性炭等であってもよい。多孔板３５ｊ、３５ｋは、図６に示すように平板に多数の通水口を開口したものであり、下部多孔板３５ｋが、物理濾過材収容容器３５の内部の前記支持リブ３５ｉに支持されている。これにより、図３及び図４に示すように、多孔板３５ｊ、３５ｋに挟まれた物理濾過材５２の下方に空間部３５ｍが形成されることになる。
【００５２】
なお、前記物理濾過材収容容器３５と多孔板３５ｊ、３５ｋも、透明又は半透明のプラスチック材で、射出成形により一体成形されている。
【００５３】
前記蓋体３６は、図１３に示すように、上面部が凸状に形成された平たい帽冠体であり、上面中央部に、水槽排水を導入する前記接続管４１ｄの挿入口３６ａが開口され、長手方向一側端部には、長孔状の切欠部３６ｂが形成されている。また、幅方向両側端部には、細長い溝状となったバックル係止部３６ｃが形成されている。
【００５４】
蓋体３６の周縁部３６ｄは、前記外ケース３０の上端縁部３０ｇに被冠するようになっている。また、図８に詳示するように、蓋体３６の裏面側における周縁部３６ｄの境界部には水滴誘導片３６ｅが下方に突設されており、蓋体３６の裏面に付着した水滴は、水滴誘導片３６ｅを伝って下方に落下するようになっている。
【００５５】
このような蓋体３６を外ケース３０の開口上部に被せることにより、給水ポンプ５４等の防音効果やケース３０内部の保温効果があり、またケース３０内部の水槽排水等の蒸発や飛散を防ぐことができる。さらに水槽浄化装置の周辺に浮遊する細菌類が外ケース内に混入して、微生物バランスを崩し、浄化処理システムが機能しなくなるのを防いでいる。なお、前記蓋体３６も、透明又は半透明のプラスチック材で、射出成形により一体成形されている。
【００５６】
上述した水槽浄化装置３を組み立てる場合は、図６に示すように、まず、外ボックス３０の内部に、微好気処理槽３１と好気処理槽３２を隣り合わせて収納する。この際、微好気処理槽３１を仕切板３０ｄに隣接するように収納するとともに、各処理槽３１，３２の脚部３１ｃ，３２ｃを位置決め突起部３０ｉ，３０ｉに合わせる。また、微好気処理槽３１と好気処理槽３２には、クリンカアッシュ３１ｄ，３２ｄを装填し、好気性処理槽３２には市販の硝化菌を混入する。
【００５７】
つぎに、微好気処理槽３１の上部に菌床収容容器３３を載せ、好気処理槽３２の上部にｐＨ調整材収容容器３４を載せる。この場合、図３に示すように、菌床収容容器３３の傾斜面３３ｃをｐＨ調整材収容容器３４の上端部の上部に位置させる。また、菌床収容容器３３には、脱窒菌を担持した菌床５０を装填し、ｐＨ調整材収容容器３４には炭酸カルシウム等のｐＨ調整材５１を装填する。
【００５８】
つぎに、物理濾過材収容容器３５を、その上端部３５ｇが外ケース３０の上端縁凹部３０ｈに係入させるようにして外ケース３０に支持させる。物理濾過材収容容器３５には、イオン交換樹脂等の物理濾過材５２を上下多孔板３５ｉ，３５ｋで挟んで収容する。
【００５９】
外ボックス３０の好気処理室３０ｃ側の貯留部３０ｋには、図１に示すように、給水ポンプ５４を設置する。給水ポンプ５４の接続管４１ｅは、蓋体３６を被せる際に、接続管４１ｅを蓋体３６の切欠部３６ｂに挿通させる。
【００６０】
蓋体３６を外ケース３０に被せるときは、図３、図４及び図８に示すように、バックル５３を上方に回動させて上端爪部を蓋体３６のバックル係止部３６ｃに係入した後、下方に回動させて蓋体３６を外ケース３０の上端縁部３０ｇに止着するとともに、物理濾過材収納容器３５の上端縁部３５ｇを外ケース上端縁凹部３０ｈに係入した状態で止着する。
【００６１】
蓋体３６を被せた後、接続管挿入口３６ａに、下部水流管分岐部４１ｂとの接続管４１ｄを接続する。また、給水ポンプ５４の接続管４１ｅは、下部流水管４１の給水分岐管４１と接続する。その際、蓋体切欠部３６ｅは長孔状となっているため、接続管４１ｅの移動に遊びが生じ、接続管４１ｅの着脱が容易である。
【００６２】
つぎに、上述した水槽浄化装置３の作動例を説明する。図１に示すように、水槽１内の貯留水は、上部水流管４０のカバー管４０ａの下部取水口４０ｇから、カバー管４０ａと排水管４０ｂの間に形成された流路に流入する。この流入水は、排水管４０ｂの上端部からオーバーフローして給水管４０ｃと排水管４０ｂの間の流路を下方に流れ、下部水流管４１の排水分岐管４１ｂ及び接続管４１ｄを通って水槽浄化装置３に流入する。カバー管４０ａの上部取水口４０ｆは、水槽１の貯留水の水面Ｌを一定レベルに維持するためのものであり、同取水口４０ｆから流入した貯留水も同じ流路で水槽浄化装置３に流入する。
【００６３】
水槽浄化装置３においては、接続管挿入口３６ａから流入した水槽排水が、物理濾過材収容容器３５の物理濾過材５２で物理的濾過がなされる。物理濾過材５２を保持する上下多孔板３５ｉ，３５ｋは、物理濾過材５２の流入水を分散し物理濾過材５２との接触を均一化するとともに、物理濾過材５２からの流出水を均一に分散する。
【００６４】
物理濾過材５２では、多数の粒状のイオン交換樹脂等のイオン吸着材により、水槽排水に含まれる糞、残餌、ゴミ等の異物等を除去するとともに、水槽排水中の、カルシウムイオンを除去してナトリウムイオン、水素イオンを放出する。
【００６５】
物理濾過材５２の流出水は、物理濾過材収容容器３５の空間部３５ｍに落下し、微好気処理連通室３５ｃと好気処理連通室３５ｄに分散される。好気処理槽連通室３５ｄ側に落下した排水は、多数の通水口３５ｅからただちに好気処理槽３２側に流出するが、微好気処理槽連通室３５ｃ側に落下した排水は、流水口３５ｆにより流出量が規制されているため、邪魔板３５ａを境にして微好気処理槽連通室３５ｃに一時的に貯留する。微好気処理槽連通室３５ｃの容量を超えた排水は、邪魔板３５ａの低位部３５ｂから好気処理連通室３５ｄにオーバーフローし、好気処理槽３２に流出する。
【００６６】
物理濾過材５２が目詰まり等を起こしたような場合、接続管挿入口３６ａから流入した過剰な水槽排水は、物理濾過材収容容器３５の好気処理槽連通室３５ｄ側に形成された排水流出部３５ｈから、給水ポンプ５４が配置された貯留部３０ｋに流出し、給水ポンプ５４により水槽１に返還される。これにより、物理濾過材５２を通過し切れなかった水槽排水が蓋体３６の外部に溢れ出たりするのを防ぐことができる。
【００６７】
物理濾過材収容容器３５の微好気処理槽連通室３５ｃの流水口３５ｆからは、水槽排水がゆっくりと導入路３０ｅに流入し、仕切板３０ｄ下部の流通口３０ｆを通って微好気処理室３０ｂに流入する。この水槽排水は、微好気処理槽３１に流入するまでの間、水槽排水導入路３０ｅと微好気処理室３０ｂに一時的に滞留する。物理濾過材収容容器３５の流水口３５ｆは、水槽排水が最適流出量となるような口径となっており、周囲の空気巻き込まずに導入路３０ｅに流下する。
【００６８】
水槽排水が導入路３０ｅを流れて微好気処理槽３１に流入するまでの間に、水槽排水に含まれる空気は自然に上昇して抜気され、結果的に水槽排水中の溶存酸素量が低減されることになる。したがって、水槽排水導入路３０ｅは、水槽排水の抜気に充分な距離（高さ）となっている。
【００６９】
微好気処理室３０ｂ内の水槽排水は、微好気処理槽３１の底面部通水口３１ａから内部に流入し、多数のクリンカアッシュ３１ｄの隙間を通って上方に流れる。このように水槽排水を微好気処理槽３１の下部から上部に向けて流すことにより、水槽排水はクリンカアッシュ３１ｄに分散されて処理槽３１の全体に均一に流れ、クリンカアッシュ３１ｄとの接触効率及び濾過効果が向上する。また、クリンカアッシュ３１ｄの隙間に残存する空気が、水槽排水と一緒に上方に抜けやすくなる。さらに、クリンカアッシュ３１ｄに自然に付着した好気性菌の酸素呼吸により、水槽排水の溶存酸素が消費される。
【００７０】
このような現象の相乗効果により、微好気処理槽３１内の水槽排水は微好気状態に維持されるが、微好気処理槽３１内の溶存酸素量は、槽内下部から上部にかけて徐々に低下した状態となっている。ここでは、微好気処理槽３１内部の菌床収容容器３３近くの溶存酸素量は４ｍｇ/Ｌ〜５ｍｇ/Ｌである。
【００７１】
クリンカアッシュ３１ｄを通過した水槽排水は、菌床収容容器３３の通水口３３ａから同容器内に流入し、菌床５０において脱窒菌による脱窒処理がなされる。菌床５０に担持した硫黄酸化脱窒菌等の脱窒菌は通性嫌気菌であり、微好気状態においても活発に働き、水槽排水に含まれる硝酸イオン、亜硝酸イオンを消費して窒素ガスに変換する。このような脱窒処理により水槽排水中の硝酸、亜硝酸濃度を低下させる。
【００７２】
菌床５０を通過した処理水は、菌床収容容器３３の傾斜面３３ｃから好気処理槽３２側のｐＨ調整材収容容器３４に流れる。微好気処理槽３１の処理水には、飼育魚に有害な亜硝酸イオンがそのまま残っていることもあり、これを無害な硝酸イオンに変換するため好気処理槽３で再処理する必要がある。また微好気処理槽３１の処理水は、脱窒処理によりｐＨバランスが崩れているため、最適なｐＨ値に調整する必要がある。
【００７３】
ｐＨ調整材収容容器３４においては、前記物理濾過材収容容器３５からの水槽排水と、前記菌床収容容器３３からの処理水が流入し、炭酸カルシウム等のｐＨ調整材５１と接触させて、好気処理及び飼育魚の育成に最適なｐＨ値（ｐＨ６〜８）に調整される。ｐＨ調整材５１の通過水は、通水口３４ａを通って好気処理槽３２に流入する。
【００７４】
好気処理槽３２においては、水槽排水（微好気処理槽３１の処理水も含む）が、クリンカアッシュ３２ｄの隙間を通って下方に流れる間、クリンカアッシュ３２ｄに担持した硝化菌（好気性菌）の酸素呼吸により、水槽排水に含まれるアンモニア成分を亜硝酸イオンから硝酸イオンへと変換し、悪臭の原因であるアンモニア成分を分解する。好気処理槽３２の処理水は、底面部通水口３２ａから流出し、隣の貯留部３０ｋに貯留される。ここでは、好気処理槽３２の溶存酸素量は６ｍｇ/Ｌ〜８ｍｇ/Ｌである。
【００７５】
好気処理槽３２のｐＨ調整材５１が目詰まり等を起こした場合、物理濾過材収容容器３５から流入する過剰水槽排水は、図３に示すように、前記物理濾過材収容容器３５の底面部と、ｐＨ調整材収容容器３５の上面部との間に形成される空間流路５５から貯留部３０ｋに流出する。これにより、過剰な水槽排水が、微好気処理槽３１の菌床収容容器３３側に流出するのを防いでいる。
【００７６】
蓋体３６の裏面部には、接続管挿入口３６ａからの流入水が跳ね返った水滴や、蒸発水の水滴が付着している。この水滴は、蓋体裏面部の端縁部方向に移動し、水滴誘導片３６ｅを伝わって下方に落下する。このため、蓋体３６の周縁部３６ｄから外部に漏出することはない。
【００７７】
貯留部３０ｋに流出した処理水は、図１に示すように、給水ポンプ５４により汲み上げられ、接続管４１ｅを通して、下部流水管４１の給水分岐管４１及び上部水流管４０の給水管４０ｃを上昇し、吐出管４０ｅから水槽１に返還される。
【００７８】
上述した実施態様は、本発明の例示であり、水槽浄化装置の構成等は、図示したものに限定されるものではなく、必要に応じて変更できることは言うまでもない。
【図面の簡単な説明】
【００７９】
【図１】本発明の水槽浄化システムの全体概略図である。
【図２】本発明の上部水流管を構成するカバー管の概略図である。
【図３】本発明の水槽浄化装置の正面断面図である。
【図４】同じく側面断面図である。
【図５】同じく水槽浄化装置の全体外観斜視図である。
【図６】同じく水槽浄化装置の構成部材の組立斜視図である。
【図７】同じく水槽浄化装置の外ケースの斜視図である。
【図８】図４のＡ部拡大図である。
【図９】本発明の水槽浄化装置の微好気処理槽又は好気処理槽の斜視図である。
【図１０】同じく水槽浄化装置の菌床収容容器の斜視図である。
【図１１】同じく水槽浄化装置のｐＨ調整材収容容器の斜視図である。
【図１２】同じく水槽浄化装置の物理濾材収容容器の斜視図である。
【図１３】同じく水槽浄化装置の蓋体の斜視図である。
【図１４】同じく水槽浄化水のバックル枢軸部材の斜視図である。
【符号の説明】
【００８０】
１は水槽
２は架台
３は水槽浄化装置
４は水流管
３０は外ケース
３０ａは隔壁
３０ｂは微好気処理室
３０ｃは好気処理室
３０ｄは仕切板
３０ｅは水槽排水導入路
３０ｆは流通路
３１は微好気処理槽
３１ａは通水口
３１ｄはクリンカアッシュ
３２は好気処理槽
３２ａは通水口
３２ｄはクリンカアッシュ
３３は菌床収容容器
３３ａは通水口
３３ｃは傾斜面
３４はｐＨ調整材収容容器
３４ａは通水口
３５は物理濾過材収容容器
３５ａは邪魔板
３５ｂは低位部
３５ｃは微好気処理連通室
３５ｄは好気処理連通室
３５ｅは通水口
３５ｆは流水口
３５ｈは排水流出部
３５ｊ，３５ｋは多孔板
３６は蓋体
３６ａは接続管挿入口
３６ｂは切欠部
３６ｃはバックル係止部
３６ｅは水滴誘導片
５０は菌床
５１はｐＨ調整材
５２は物理濾過材
５３はバックル
５３ａはバックル枢軸部材
５４は給水ポンプ
【図１】
2008005764.tif 000003
【図２】
2008005764.tif 000004
【図３】
2008005764.tif 000005
【図４】
2008005764.tif 000006
【図５】
2008005764.tif 000007
【図６】
2008005764.tif 000008
【図７】
2008005764.tif 000009
【図８】
2008005764.tif 000010
【図９】
2008005764.tif 000011
【図１０】
2008005764.tif 000012
【図１１】
2008005764.tif 000013
【図１２】
2008005764.tif 000014
【図１３】
2008005764.tif 000015
【図１４】
2008005764.tif 000016